(57)【要約】【課題】プラズマディスプレイ装置を提供する。【解決手段】本発明のプラズマディスプレイ装置は、電極を備えるプラズマディスプレイパネルと、該プラズマディスプレイパネルの電位を一定電圧に維持するための複数の電圧維持回路を備え、前記複数の電圧維持回路は、共通の入力端子を有する電圧維持回路部と、該電圧維持回路部に接続して、前記プラズマディスプレイパネルにエネルギーを供給／回収する複数のエネルギー供給／回収回路を備え、前記複数のエネルギー供給／回収回路は、共通の出力端子を有するエネルギー供給／回収回路部とを備える。【選択図】図３
2006350357.tif 000002
【特許請求の範囲】
【請求項１】
電極を備えるプラズマディスプレイパネルと、
該プラズマディスプレイパネルの電位を一定電圧に維持するための複数の電圧維持回路を備え、前記複数の電圧維持回路は、共通の入力端子を有する電圧維持回路部と、
該電圧維持回路部に接続して、前記プラズマディスプレイパネルにエネルギーを供給／回収する複数のエネルギー供給／回収回路を備え、前記複数のエネルギー供給／回収回路は、共通の出力端子を有するエネルギー供給／回収回路部と
を備えたことを特徴とするプラズマディスプレイ装置。
【請求項２】
前記エネルギー供給／回収回路部の共通の出力端子と前記電圧維持回路部の共通の入力端子は共通に接続することを特徴とする請求項１に記載のプラズマディスプレイ装置。
【請求項３】
前記複数の電圧維持回路は共通の出力端子を有することを特徴とする請求項１に記載のプラズマディスプレイ装置。
【請求項４】
前記エネルギー供給／回収回路部が、前記複数のエネルギー供給／回収回路が集まって単一ボード上で一体化したことを特徴とする請求項１に記載のプラズマディスプレイ装置。
【請求項５】
前記電圧維持回路部が、前記複数の電圧維持回路が複数のボード上に形成され、前記複数の電圧維持回路が互いに結合されていることを特徴とする請求項１に記載のプラズマディスプレイ装置。
【請求項６】
前記複数のボードは２つであることを特徴とする請求項５に記載のプラズマディスプレイ装置。
【請求項７】
前記複数のエネルギー供給／回収回路は、
キャパシタを備えるエネルギー格納部と、
該エネルギー格納部に格納されたエネルギーを、前記プラズマディスプレイパネルに供給するためのエネルギー供給制御部と、
前記プラズマディスプレイパネルの無効エネルギーを、前記エネルギー格納部に格納するためのエネルギー回収制御部と
を備えたことを特徴とする請求項１に記載のプラズマディスプレイ装置。
【請求項８】
前記複数の電圧維持回路は、
前記エネルギー供給／回収回路部の出力端子と前記プラズマディスプレイパネルとの間に接続されるインダクター部と、
前記プラズマディスプレイパネルにサステイン電圧（Ｖｓ）を供給するサステイン電圧供給部と、
前記プラズマディスプレイパネルに基底電圧（ＧＮＤ）を供給する基底電圧供給部と、
を備えたことを特徴とする請求項１に記載のプラズマディスプレイ装置。
【請求項９】
電極を備えるプラズマディスプレイパネルと、
該プラズマディスプレイパネルの電位を一定電圧に維持するための複数の電圧維持回路それぞれが、並列に接続した電圧維持回路部と、
該電圧維持回路部に接続し、前記プラズマディスプレイパネルにエネルギーを供給／回収する複数のエネルギー供給／回収回路それぞれが並列に接続したエネルギー供給／回収回路部と
を備えたことを特徴とするプラズマディスプレイ装置。
【請求項１０】
前記エネルギー供給／回収回路部の出力端子と前記電圧維持回路部の入力端子は、共通に接続することを特徴とする請求項９に記載のプラズマディスプレイパネルの駆動装置。
【請求項１１】
前記並列に接続した複数の電圧維持回路は、共通の出力端子を有することを特徴とする請求項９に記載のプラズマディスプレイ装置。
【請求項１２】
前記エネルギー供給／回収回路部は、前記複数のエネルギー供給／回収回路が集まって単一ボード上で一体化したことを特徴とする請求項９に記載のプラズマディスプレイ装置。
【請求項１３】
前記複数のエネルギー供給／回収回路は、
キャパシタを備えるエネルギー格納部と、
該エネルギー格納部に格納されたエネルギーを、前記プラズマディスプレイパネルに供給するためのエネルギー供給制御部と、
前記プラズマディスプレイパネルの無効エネルギーを、前記エネルギー格納部に格納するためのエネルギー回収制御部と、
を備えたことを特徴とする請求項９に記載のプラズマディスプレイパネルの駆動装置。
【請求項１４】
前記複数の電圧維持回路は、
前記エネルギー供給／回収回路部の出力端子と前記プラズマディスプレイパネルとの間に接続するインダクター部と、
前記プラズマディスプレイパネルにサステイン電圧（Ｖｓ）を供給するサステイン電圧供給部と、
前記プラズマディスプレイパネルに基底電圧（ＧＮＤ）を供給する基底電圧供給部と、
を備えたことを特徴とする請求項９に記載のプラズマディスプレイパネルの駆動装置。
【請求項１５】
複数の領域に分けて駆動されるプラズマディスプレイパネルと、
該プラズマディスプレイパネルのうち、第１領域にエネルギーを供給／回収する第１エネルギー供給／回収回路及び前記第１領域の電位を一定電圧に維持する第１電圧維持回路を備える第１サステイン回路と、
前記プラズマディスプレイパネルのうち、第２領域にエネルギーを供給／回収する第２エネルギー供給／回収回路及び前記第２領域の電位を一定電圧に維持する第２電圧維持回路を備える第２サステイン回路と
を備え、
前記第１エネルギー供給／回収回路の出力端子と前記第２エネルギー供給／回収回路の出力端子とは、共通に接続することを特徴とするプラズマディスプレイ装置。
【請求項１６】
前記第１サステイン回路は、第１タイミングコントローラによりスイッチングタイミングが制御され、
前記第２サステイン回路は、第２タイミングコントローラによりスイッチングタイミングが制御されることを特徴とする請求項１５に記載のプラズマディスプレイ装置。
【請求項１７】
前記第１エネルギー供給／回収回路は、
キャパシタを備える１エネルギー格納部と、
該第１エネルギー格納部に格納されたエネルギーを前記第１領域に供給するための第１エネルギー供給制御部と、
前記第１領域の無効エネルギーを前記第１エネルギー格納部に格納するための第１エネルギー回収制御部と
を備えたことを特徴とする請求項１５に記載のプラズマディスプレイ装置。
【請求項１８】
前記第１電圧維持回路は、
前記第１エネルギー供給／回収回路の出力端子と前記第１領域との間に接続する第１インダクター部と、
前記第１領域にサステイン電圧（Ｖｓ）を供給する第１サステイン電圧供給部と、
前記第１領域に基底電圧（ＧＮＤ）を供給する第１基底電圧供給部と
を備えたことを特徴とする請求項１５に記載のプラズマディスプレイ装置。
【請求項１９】
前記第２エネルギー供給／回収回路は、
キャパシタを備える第２エネルギー格納部と、
該第２エネルギー格納部に格納されたエネルギーを、前記第２プラズマディスプレイパネルに供給するための第２エネルギー供給制御部と、
前記第２領域の無効エネルギーを、前記第２エネルギー格納部に格納するためのエネルギー回収制御部と
を備えたことを特徴とする請求項１５に記載のプラズマディスプレイ装置。
【請求項２０】
前記第２電圧維持回路は、
前記第２エネルギー供給／回収回路の出力端子と前記第２領域との間に接続する第２インダクター部と、
前記第２領域にサステイン電圧（Ｖｓ）を供給する第２サステイン電圧供給部と、
前記第２領域に基底電圧（ＧＮＤ）を供給する第２基底電圧供給部と
を備えたことを特徴とする請求項１５に記載のプラズマディスプレイ装置。
【発明の詳細な説明】
【背景技術】
【０００１】
本発明は、ディスプレイ装置に関し、さらに詳細にはプラズマディスプレイ装置に関する。
【０００２】
通常、ディスプレイ装置のうちプラズマディスプレイ装置は、プラズマディスプレイパネルと該プラズマディスプレイパネルを駆動するための駆動部を備える。
【０００３】
通常、プラズマディスプレイパネルは、前面パネルと後面パネルとの間に形成された隔壁が１つのセルをなし、各セル内には、ネオン（Ｎｅ）、ヘリウム（Ｈｅ）又はネオン及びヘリウムの混合気体（Ｎｅ＋Ｈｅ）のような主放電気体と少量のキセノン（Ｘｅ）とを含有する不活性ガスが充填されている。
【０００４】
高周波電圧により放電されるとき、不活性ガスは、真空紫外線（Ｖａｃｕｕｍ  Ｕｌｔｒａｖｉｏｌｅｔ  ｒａｙｓ）を発生し、隔壁の間に形成された蛍光体を発光させることにより、画像が具現される。このようなプラズマディスプレイパネルは、薄くて軽い構成が可能なので、次世代表示装置として注目を浴びている。
【０００５】
図１は、通常のプラズマディスプレイパネルの駆動装置を説明するための図である。
【０００６】
同図に示すように、通常のプラズマディスプレイパネルの駆動装置は、サステイン回路部１００、ドライブ集積回路１５０、セットアップ供給部１１０、セットダウン供給部１３０、負極性スキャン電圧供給部１２０、スキャン基準電圧供給部１４０と、セットアップ供給部１１０とドライブ集積回路１５０との間に接続される第７スイッチＱ７及びセットアップ供給部１１０とサステイン回路部１００との間に接続される第６スイッチＱ６を備える。
【０００７】
ドライブ集積回路１５０は、プッシュプル（ｐｕｓｈ／ｐｕｌｌ）形態で接続され、サステイン回路部１００、セットアップ供給部１１０、セットダウン供給部１３０、負極性スキャン電圧供給部１２０及びスキャン基準電圧供給部１４０から電圧信号が入力される第１２及び第１３スイッチらＱ１２、Ｑ１３で構成される。
【０００８】
第１２及び第１３スイッチＱ１２、Ｑ１３の間の出力ラインは、パネルＣｐのスキャン電極ラインＹ１〜Ｙｍのうちのいずれかに接続される。
【０００９】
サステイン回路部１００は、パネルＣｐから回収されるエネルギーを回収し、パネルＣｐにサステイン電圧（Ｖｓ）を供給する。
【００１０】
負極性スキャン電圧供給部１２０は、アドレス期間においてスキャン電極ラインＹ１〜Ｙｍに−Ｖｙの電圧の大きさを有するスキャンパルスＳｐを供給する。
【００１１】
スキャン基準電圧供給部１４０は、アドレス期間にスキャン電極ラインＹ１〜Ｙｍにスキャン基準電圧（Ｖｓｃ ）を供給する。
【００１２】
セットダウン供給部１３０は、リセット期間のセットダウン期間にスキャン電極ラインＹ１〜Ｙｍに立下りランプパルスを供給する。
【００１３】
セットアップ供給部１１０は、リセット期間のセットアップ期間において、立ち上がりランプＲａｍｐ−Ｕｐパルスをスキャン電極ラインＹ１〜Ｙｍに供給する。
【００１４】
一方、このような従来の駆動装置において、上述したサステイン回路部１００は、複数個が単一ボード上に統合して形成されることが一般的である。これに関し、図２を参考に詳説すれば、以下の通りである。
【００１５】
図２は、通常の駆動装置における複数のサステイン回路部が1つのモジュールで統合されることの一例を説明するための図である。
【００１６】
同図に示すように、サステイン回路部２００、２０１、２０２が単一ボード上に形成され、このような単一ボード上に形成されたサステイン回路部が1つのノードｎ１に共通接続される。
【００１７】
このように、複数のサステイン回路部２００、２０１、２０２を単一ボード上に構成することは、サステイン回路部がパネルＣｐに供給するサステイン電圧（Ｖｓ）が、比較的大きい電圧であるためである。
【００１８】
若し、1つのサステイン回路部、例えば図面符号２００のサステイン回路部のみで駆動に必要とするサステイン電圧（Ｖｓ）を全て供給するようにする場合、このような図面符号２００のサステイン回路部をなす電気素子、すなわちエネルギー格納用キャパシタＣ１、第１スイッチＱ１、第２スイッチＱ２、第３スイッチＱ３、第４スイッチＱ４、第１ダイオードＤ１、第２ダイオードＤ２及び第１インダクターＬ１が耐電圧特性が大きくなければならず、結局、駆動装置の製造単価が上がることになる。
【００１９】
また、それぞれの電気素子から発生する発熱も増加し、コンダクタ抵抗（Ｃｏｎｄｕｃｔｉｏｎ  Ｒｅｓｉｓｔ；Ｒｄｓ）が増加する。
【００２０】
したがって、図２のように、複数のサステイン回路部２００、２０１、２０２を1つのモジュールで形成することによって、それぞれの電気素子から発生する発熱量も低減し、コンダクタ抵抗（Ｒｄｓ）も低減する。
【００２１】
しかしながら、このような図２のような従来の駆動装置では、それぞれのサステイン回路部２００、２０１、２０２の電気素子の駆動特性のバラツキによって電気素子が電気的又は熱的損傷を受ける可能性が大きいという問題がある。
【００２２】
理論的には、同じ電気素子は、同じ駆動特性を有するはずであるが、素子の製造工程の差などにより、わずかながら異なる駆動特性を有するようになる。
【００２３】
このようなわずかな駆動特性の差は、プラズマディスプレイパネルの大きさが増加し、駆動装置に用いられる電気素子の個数が多くなるほど、さらに累積されて、プラズマディスプレイパネルの駆動の際の発熱偏重、消費電力の増加、素子損傷などの問題を発生させる。
【００２４】
例えば、サステイン回路部２００の動作特性が時点ｔ０においてサステイン電圧（Ｖｓ）を供給し、サステイン回路部２０１は、上述した時点ｔ０に比べてΔｔ分だけ遅延（Ｄｅｌａｙ）された時点ｔ１においてサステイン電圧（Ｖｓ）を供給する動作特性を有する。
【００２５】
また、サステイン回路部２０２は、上述した時点ｔ１に比べてΔｔ分だけ遅延された時点ｔ２においてサステイン電圧（Ｖｓ）を供給する動作特性を有すると仮定すれば、駆動の際に、サステイン回路部２００が他のサステイン回路部２０１、２０２に比べてサステイン電圧（Ｖｓ）を供給する時点が早くなる。
【００２６】
これにより、全体サステイン電圧（Ｖｓ）の負荷の殆どがサステイン回路部２００にかかるようになる。
【００２７】
結局、サステイン回路部２００に過度な負荷がかかるようになり、過度な発熱現象が発生し、このようなサステイン回路部２００の電気素子が電気的又は熱的損傷を受けるようになる。
【発明の開示】
【発明が解決しようとする課題】
【００２８】
本発明は、上記した従来の問題を解決するためになされたものであって、その目的は、サステイン回路部における駆動特性の偏差に応じる発熱及び素子の損傷を防止することにある。
【課題を解決するための手段】
【００２９】
本発明の一実施形態に係るプラズマディスプレイ装置は、電極を備えるプラズマディスプレイパネルと、該プラズマディスプレイパネルの電位を一定電圧に維持するための複数の電圧維持回路を備え、前記複数の電圧維持回路は、共通の入力端子を有する電圧維持回路部と、該電圧維持回路部に接続して、前記プラズマディスプレイパネルにエネルギーを供給／回収する複数のエネルギー供給／回収回路を備え、前記複数のエネルギー供給／回収回路は、共通の出力端子を有するエネルギー供給／回収回路部とを備える。
【００３０】
本発明の他の一実施形態に係るディスプレイ装置は、電極を備えるプラズマディスプレイパネルと、該プラズマディスプレイパネルの電位を一定電圧に維持するための複数の電圧維持回路それぞれが、並列に接続した電圧維持回路部と、該電圧維持回路部に接続し、前記プラズマディスプレイパネルにエネルギーを供給／回収する複数のエネルギー供給／回収回路それぞれが並列に接続したエネルギー供給／回収回路部とを備える。
【００３１】
本発明のさらに他の一実施形態に係るプラズマディスプレイ装置は、複数の領域に分けて駆動されるプラズマディスプレイパネルと、該プラズマディスプレイパネルのうち、第１領域にエネルギーを供給／回収する第１エネルギー供給／回収回路及び前記第１領域の電位を一定電圧に維持する第１電圧維持回路を備える第１サステイン回路と、前記プラズマディスプレイパネルのうち、第２領域にエネルギーを供給／回収する第２エネルギー供給／回収回路及び前記第２領域の電位を一定電圧に維持する第２電圧維持回路を備える第２サステイン回路とを備え、前記第１エネルギー供給／回収回路の出力端子と前記第２エネルギー供給／回収回路の出力端子とは、共通に接続することを特徴とする。
【発明の効果】
【００３２】
本発明は、プラズマディスプレイパネルの駆動時に駆動偏差を低減して、素子の発熱偏重、素子の電気的又は熱的損傷の問題を改善するという効果がある。
【発明を実施するための最良の形態】
【００３３】
以下、本発明の最も好ましい実施形態を、添付した図面を参照しながら説明する。
【００３４】
本発明の一実施形態に係るプラズマディスプレイ装置は、電極を備えるプラズマディスプレイパネルと、該プラズマディスプレイパネルの電位を一定電圧に維持するための複数の電圧維持回路を備え、前記複数の電圧維持回路は、共通の入力端子を有する電圧維持回路部と、該電圧維持回路部に接続して、前記プラズマディスプレイパネルにエネルギーを供給／回収する複数のエネルギー供給／回収回路を備え、前記複数のエネルギー供給／回収回路は、共通の出力端子を有するエネルギー供給／回収回路部とを備える。
【００３５】
前記エネルギー供給／回収回路部の共通の出力端子と前記電圧維持回路部の共通の入力端子とが、共通に接続することが好ましい。
【００３６】
前記複数の電圧維持回路が、共通の出力端子を有することが好ましい。
【００３７】
前記エネルギー供給／回収回路部が、前記複数のエネルギー供給／回収回路が集まって単一ボード上で一体化したことが好ましい。
【００３８】
前記電圧維持回路部が、前記複数の電圧維持回路が複数のボード上に形成され、それらの複数の電圧維持回路が互いに結合されていることが好ましい。
【００３９】
前記複数のボードが、２つであることが好ましい。
【００４０】
前記複数のエネルギー供給／回収回路が、キャパシタを備えるエネルギー格納部と、該エネルギー格納部に格納されたエネルギーを、前記プラズマディスプレイパネルに供給するためのエネルギー供給制御部と、前記プラズマディスプレイパネルの無効エネルギーを、前記エネルギー格納部に格納するためのエネルギー回収制御部とを備える。
【００４１】
前記複数の電圧維持回路が、前記エネルギー供給／回収回路部の出力端子と前記プラズマディスプレイパネルとの間に接続されるインダクター部と、前記プラズマディスプレイパネルにサステイン電圧（Ｖｓ）を供給するサステイン電圧供給部と、前記プラズマディスプレイパネルに基底電圧（ＧＮＤ）を供給する基底電圧供給部とを備える。
【００４２】
本発明の他の一実施形態に係るディスプレイ装置は、電極を備えるプラズマディスプレイパネルと、該プラズマディスプレイパネルの電位を一定電圧に維持するための複数の電圧維持回路それぞれが、並列に接続した電圧維持回路部と、該電圧維持回路部に接続し、前記プラズマディスプレイパネルにエネルギーを供給／回収する複数のエネルギー供給／回収回路それぞれが並列に接続したエネルギー供給／回収回路部とを備える。
【００４３】
前記エネルギー供給／回収回路部の出力端子と前記電圧維持回路部の入力端子とが、共通に接続することが好ましい。
【００４４】
前記並列に接続した複数の電圧維持回路が、共通の出力端子を有することが好ましい。
【００４５】
前記エネルギー供給／回収回路部が、前記複数のエネルギー供給／回収回路が集まって単一ボード上で一体化したことが好ましい。
【００４６】
本発明の一実施形態に係るプラズマディスプレイパネルの駆動装置は、前記複数のエネルギー供給／回収回路が、キャパシタを備えるエネルギー格納部と、該エネルギー格納部に格納されたエネルギーを、前記プラズマディスプレイパネルに供給するためのエネルギー供給制御部と、前記プラズマディスプレイパネルの無効エネルギーを、前記エネルギー格納部に格納するためのエネルギー回収制御部とを備える。
【００４７】
前記複数の電圧維持回路が、前記エネルギー供給／回収回路部の出力端子と前記プラズマディスプレイパネルとの間に接続するインダクター部と、前記プラズマディスプレイパネルにサステイン電圧（Ｖｓ）を供給するサステイン電圧供給部と、前記プラズマディスプレイパネルに基底電圧（ＧＮＤ）を供給する基底電圧供給部とを備える。
【００４８】
本発明のさらに他の一実施形態に係るプラズマディスプレイ装置は、複数の領域に分けて駆動されるプラズマディスプレイパネルと、該プラズマディスプレイパネルのうち、第１領域にエネルギーを供給／回収する第１エネルギー供給／回収回路及び前記第１領域の電位を一定電圧に維持する第１電圧維持回路を備える第１サステイン回路と、前記プラズマディスプレイパネルのうち、第２領域にエネルギーを供給／回収する第２エネルギー供給／回収回路及び前記第２領域の電位を一定電圧に維持する第２電圧維持回路を備える第２サステイン回路とを備え、前記第１エネルギー供給／回収回路の出力端子と前記第２エネルギー供給／回収回路の出力端子とは、共通に接続することを特徴とする。
【００４９】
前記第１サステイン回路は、第１タイミングコントローラによりスイッチングタイミングが制御され、前記第２サステイン回路が、第２タイミングコントローラによりスイッチングタイミングが制御されることが好ましい。
【００５０】
前記第１エネルギー供給／回収回路が、キャパシタを備える１エネルギー格納部と、該第１エネルギー格納部に格納されたエネルギーを前記第１領域に供給するための第１エネルギー供給制御部と、前記第１領域の無効エネルギーを前記第１エネルギー格納部に格納するための第１エネルギー回収制御部とを備える。
前記第１電圧維持回路が、前記第１エネルギー供給／回収回路の出力端子と前記第１領域との間に接続する第１インダクター部と、前記第１領域にサステイン電圧（Ｖｓ）を供給する第１サステイン電圧供給部と、前記第１領域に基底電圧（ＧＮＤ）を供給する第１基底電圧供給部とを備える。
【００５１】
前記第２エネルギー供給／回収回路が、キャパシタを備える第２エネルギー格納部と、該第２エネルギー格納部に格納されたエネルギーを、前記第２プラズマディスプレイパネルに供給するための第２エネルギー供給制御部と、前記第２領域の無効エネルギーを、前記第２エネルギー格納部に格納するためのエネルギー回収制御部とを備える。
【００５２】
前記第２電圧維持回路が、前記第２エネルギー供給／回収回路の出力端子と前記第２領域との間に接続する第２インダクター部と、前記第２領域にサステイン電圧（Ｖｓ）を供給する第２サステイン電圧供給部と、前記第２領域に基底電圧（ＧＮＤ）を供給する第２基底電圧供給部とを備える。
【００５３】
以下では、本発明の一実施形態に係る具体的な実施形態を、添付した図面を参照して説明する。
【００５４】
図３は、本発明の一実施形態に係るプラズマディスプレイ装置のうちプラズマディスプレイパネルの構造を示す図である。
【００５５】
図３に示すように、プラズマディスプレイパネルは、画像がディスプレイされる表示面である前面ガラス３０１にスキャン電極３０２とサステイン電極３０３が対をなして形成された複数の維持電極対が配列された前面パネル３００及び背面をなす後面ガラス３１１上に上述した複数の維持電極対と交差するように複数のアドレス電極３１３が配列された後面パネル３１０が、一定距離を隔てて平行に結合される。
【００５６】
前面パネル３００は、1つの放電セルにおいて互いに放電させ、セルの発光を維持するためのスキャン電極３０２及びサステイン電極３０３、すなわち透明なＩＴＯ物質から形成された透明電極ａと金属材質からなるバス電極ｂで備えられたスキャン電極３０２及びサステイン電極３０３が対をなして備えられる。
【００５７】
スキャン電極３０２及びサステイン電極３０３は、放電電流を制限し、電極対間間を絶縁させる1つ以上の上部誘電体層３０４により覆われ、上部誘電体層３０４の上面には、放電条件を容易にするために、酸化マグネシウム（ＭｇＯ）を蒸着した保護層３０５が形成される。
【００５８】
後面パネル３１０は、複数の放電空間すなわち、放電セルを形成させるためのストライプタイプ（又はウェルタイプ）の隔壁３１２が平行を維持して配列される。また、アドレス放電を行って真空紫外線を発生させる複数のアドレス電極３１３が隔壁３１２に対して平行に配置される。
【００５９】
後面パネル３１０の上側面には、アドレス放電時に画像表示のための可視光線を放出するＲ，Ｇ，Ｂ型光体３１４が塗布される。アドレス電極３１３と蛍光体３１４との間には、アドレス電極３１３を保護するための下部誘電体層３１５が形成される。
【００６０】
このような構造のプラズマディスプレイパネルを駆動させるための本発明の一実施形態に係るプラズマディスプレイ装置の駆動方法を詳説すれば、以下の通りである。
【００６１】
図４は、本発明の第１実施の形態に係るプラズマディスプレイ装置の駆動方法を説明するための図である。
【００６２】
図４に示すように、プラズマディスプレイパネルは、全てのセルを初期化させるためのリセット期間、放電するセルを選択するためのアドレス期間、選択されたセルの放電を維持させるためのサステイン期間及び放電されたセル内の壁電荷を消去する消去期間に分けられて駆動される。
【００６３】
リセット期間において、セットアップ期間には、全てのスキャン電極に立ち上がりランプＲａｍｐ-ｕｐが同時に印加される。この立ち上がりランプ波形により、全画面の放電セル内には弱い暗放電（Dark Discharge）が起きる。
【００６４】
このセットアップ放電により、アドレス電極及びサステイン電極上には、正極性壁電荷が蓄積され、スキャン電極上には、負極性の壁電荷が蓄積される。
【００６５】
セットダウン期間には、立ち上がりランプ波形が供給された後、立ち上がりランプ波形のピーク電圧より低い正極性電圧から下がり始めて、グラウンドＧＮＤレベル電圧以下の特定電圧レベルまで立ち下がる立下りランプ波形Ｒａｍｐ−ｄｏｗｎが、セル内に微弱な消去放電を起こすことによって、スキャン電極に過渡に形成された壁電荷を十分に消去させるようになる。
【００６６】
このセットダウン放電により、アドレス放電が安定して起きることができる程度の壁電荷がセル内に均一に残留される。
【００６７】
アドレス期間には、負極性スキャン波形がスキャン電極に順次に印加されると同時に、スキャン波形に同期されて、アドレス電極に正極性のデータパルスが印加される。
【００６８】
このスキャンパルスとデータパルスとの電位差とリセット期間に生成された壁電圧とが加算されながら、データ波形が印加される放電セル内には、アドレス放電が発生される。
【００６９】
アドレス放電により選択されたセル内には、サステイン電圧（Ｖｓ）が印加される時、放電がおきることができるようにする程度の壁電荷が形成される。
【００７０】
サステイン電極には、セットダウン期間とアドレス期間との間にスキャン電極との電位差を低減して、スキャン電極との誤放電が起こらないように正極性電圧Ｖｚが供給される。
【００７１】
サステイン期間には、スキャン電極とサステイン電極とに交互にサステインパルスＳｕｓが印加される。
【００７２】
アドレス放電により選択されたセルは、セル内の壁電圧とサステインパルスとが加算されながら、毎サステインパルスが印加されるごとに、スキャン電極とサステイン電極との間にサステイン放電すなわち、表示放電が起きる。
【００７３】
サステイン放電が完了した後に、消去期間では、パルス幅と電圧レベルが小さな消去ランプ波形Ｒａｍｐ−ｅｒｓの電圧がサステイン電極に供給されて、全画面のセル内に残留する壁電荷を消去させる。
【００７４】
図５は、本発明の第１実施形態に係るプラズマディスプレイ装置の構成を説明するための図である。
【００７５】
図５に示すように、本発明の第１実施形態に係るプラズマディスプレイ装置は、複数のエネルギー供給／回収回路５００、５０１、５０２を備えるエネルギー供給／回収回路部５０６及び複数の電圧維持回路５０３、５０４、５０５を備える電圧維持回路部５０７を備える。このサステイン回路部は、エネルギー供給／回収回路部５０６と、電圧維持回路部５０７とをそれぞれ互いに異なるボード上に形成されるように構成する。
【００７６】
このようなエネルギー供給／回収回路部５０６及び電圧維持回路部５０７が集まって、サステイン回路（符号は指定しない）をなす。
【００７７】
ここで、上述したエネルギー供給／回収回路部５０６に備えられるエネルギー供給／回収回路５００、５０１、５０２は、プラズマディスプレイパネルにエネルギーを供給し、無効エネルギーを回収する。
【００７８】
このような複数のエネルギー供給／回収回路５００、５０１、５０２の出力端子は、全て共通に接続され、これによって、1つのエネルギー供給／回収回路部５０６は、1つの出力端子（第１ノード：ｎ１）を有する。
【００７９】
すなわち、複数のエネルギー供給／回収回路５００、５０１、５０２のそれぞれは、並列に接続している。
【００８０】
電圧維持回路部５０７に備えられる電圧維持回路５０３、５０４、５０５は、上述したプラズマディスプレイパネルの電位を所定電圧に維持する。
【００８１】
例えば、プラズマディスプレイパネルの電圧をサステイン電圧（Ｖｓ）に所定時間の間に維持させるか、又はプラズマディスプレイパネルの電圧を基底電圧（ＧＮＤ）に所定期間の間に維持させる。
【００８２】
このような、複数の電圧維持回路５０３、５０４、５０５の入力端子は、それぞれ上述したエネルギー供給／回収回路部５０６の1つの出力端子ｎ１と共通に接続する。
【００８３】
また、このような複数の電圧維持回路５０３、５０４、５０５の出力端子は、全て共通接続し、これによって、1つの電圧維持回路部５０７は、1つの出力端子（第２ノード：ｎ２）を有する。
【００８４】
すなわち、複数の電圧維持回路５０３、５０４、５０５それぞれは、並列に接続している。
【００８５】
ここで、上述したエネルギー供給／回収回路部５０６は、複数のエネルギー供給／回収回路５００、５０１、５０２が集まって、単一ボード上に形成されて一体化したことが好ましい。
【００８６】
また、上述した電圧維持回路部５０７は、複数の電圧維持回路５０３、５０４、５０５が互いに結合されて構成され、複数のボード上に形成されることができる。
【００８７】
ここで、複数の電圧維持回路５０３、５０４、５０５は、２つのボード上に形成されることがさらに好ましい。
【００８８】
このように、図５のように、本発明の第１実施形態に係るプラズマディスプレイ装置におけるサステイン回路部は、エネルギー供給／回収回路部５０６と電圧維持回路部５０７をそれぞれ互いに異なるボード上に形成されるように構成することによって、本発明の第１実施形態に係るプラズマディスプレイ装置をなす電気素子が互いに異なる駆動特性を有するとしても、すなわち駆動特性のバラツキが発生しても、電気素子の電気的又は熱的損傷を防止するようになる。
【００８９】
このような本発明の第１実施形態に係るプラズマディスプレイ装置の特徴を、以後の本発明の第１実施形態に係るプラズマディスプレイ装置の動作の説明を通じてさらに詳細にする。
【００９０】
上述した、エネルギー供給／回収回路部５０６に備えられる複数のエネルギー供給／回収回路５００、５０１、５０２は、それぞれエネルギー格納部、エネルギー供給制御部Ｑ１ａ、Ｑ１ｂ、Ｑ１ｃ、エネルギー回収制御部Ｑ２ａ、Ｑ２ｂ、Ｑ２ｃ、第１ダイオードＤ１ａ、Ｄ１ｂ、Ｄ１ｃ、第２ダイオードＤ２ａ、Ｄ２ｂ、Ｄ２ｃを備える。
【００９１】
ここで、エネルギー格納部は、それぞれエネルギー格納用キャパシタＣａ、Ｃｂ、Ｃｃを備える。
【００９２】
このようなエネルギー格納用キャパシタＣａ、Ｃｂ、Ｃｃは、プラズマディスプレイパネルの無効エネルギーを回収して格納する。
【００９３】
エネルギー供給制御部Ｑ１ａ、Ｑ１ｂ、Ｑ１ｃは、エネルギー供給期間にオンになって、上述したエネルギー格納部に格納されたエネルギーをプラズマディスプレイパネルに供給する。
【００９４】
エネルギー回収制御部Ｑ２ａ、Ｑ２ｂ、Ｑ２ｃは、エネルギー回収期間にオンになって、プラズマディスプレイパネルの無効エネルギーをエネルギー格納部に格納する。
【００９５】
また、上述した電圧維持回路部５０７に備えられた複数の電圧維持回路５０３、５０４、５０５は、それぞれインダクター部Ｌａ、Ｌｂ、Ｌｃと、サステイン電圧供給部Ｑ３ａ、Ｑ３ｂ、Ｑ３ｃ及び基底電圧供給部Ｑ４ａ、Ｑ４ｂ、Ｑ４ｃを備える。
【００９６】
ここで、上述したインダクター部Ｌａ、Ｌｂ、Ｌｃは、上述したエネルギー供給／回収回路部５０７の出力端子ｎ１とプラズマディスプレイパネルとの間に接続される。
【００９７】
サステイン電圧供給部Ｑ３ａ、Ｑ３ｂ、Ｑ３ｃは、サステイン電圧（Ｖｓ）の維持期間の間にサステイン電圧源から供給されるサステイン電圧（Ｖｓ）をプラズマディスプレイパネルに供給する。
【００９８】
基底電圧供給部Ｑ４ａ、Ｑ４ｂ、Ｑ４ｃは、基底電圧（ＧＮＤ）の維持期間に基底電圧源から供給される基底電圧（ＧＮＤ）をプラズマディスプレイパネルに供給する。
【００９９】
このように、エネルギー供給／回収回路部５０６及び電圧維持回路部５０７からなるサステイン回路の動作を、図６を参照して説明すれば、次の通りである。
【０１００】
図６は、図５に示された本発明の第１実施形態に係るプラズマディスプレイ装置の動作を説明するための図である。
【０１０１】
まず、エネルギー格納部のエネルギー格納用キャパシタＣａ、Ｃｂ、Ｃｃには、Ｖｓ／２電圧が充電されていると仮定する。
【０１０２】
ここで、エネルギー供給期間Ｓｔａｔｅ１において、上述したエネルギー供給制御部Ｑ１ａ、Ｑ１ｂ、Ｑ１ｃがターンオンすれば、エネルギー格納用キャパシタＣａ、Ｃｂ、Ｃｃに充電された電圧は、エネルギー供給制御部Ｑ１ａ、Ｑ１ｂ、Ｑ１ｃ、第１ダイオードＤ１ａ、Ｄ１ｂ、Ｄ１ｃを経て第１ノードｎ１に供給される。
【０１０３】
すなわち、符号５００のエネルギー供給／回収回路のエネルギー格納用キャパシタＣａに格納された電圧と、符号５０１のエネルギー供給／回収回路のエネルギー格納用キャパシタＣｂに格納された電圧と、符号５０２のエネルギー供給／回収回路のエネルギー格納用キャパシタＣｃに格納された電圧とが加算されて、第１ノードｎ１に供給される。
【０１０４】
このような第１ノードｎ１に供給された電圧は、電圧維持回路部５０７のそれぞれの電圧維持回路５０３、５００４、５０５のインダクター部Ｌａ、Ｌｂ、Ｌｃに分配される。
【０１０５】
このようにインダクター部Ｌａ、Ｌｂ、Ｌｃに分配された電圧は、プラズマディスプレイパネルの放電セルの静電容量Ｃｐとインダクター部Ｌａ、Ｌｂ、ＬｃのインダクタンスによるＬＣ共振により共振され、第２ノードｎ２を経てプラズマディスプレイパネルに供給される。
【０１０６】
そうすると、プラズマディスプレイパネルの電圧（Ｖｐ）は、図６のＳｔａｔｅ１のように、サステイン電圧（Ｖｓ）まで上昇し、インダクター部Ｌａ、Ｌｂ、Ｌｃに流れる電流は、エネルギー格納用キャパシタＣａ、Ｃｂ、ＣｃからプラズマディスプレイパネルＣｐ側にエネルギーが供給されているので、＋ＩＬになる。
【０１０７】
以後、サステイン電圧（Ｖｓ）の維持期間Ｓｔａｔｅ２において、電圧維持回路部５０７のそれぞれの電圧維持回路５０３、５０４、５０５のサステイン電圧供給部Ｑ３ａ、Ｑ３ｂ、Ｑ３ｃがオンになる。
【０１０８】
そうすると、サステイン電圧源から供給されるサステイン電圧（Ｖｓ）が、サステイン電圧供給部Ｑ３ａ、Ｑ３ｂ、Ｑ３ｃ及び第２ノードｎ２を経て、プラズマディスプレイパネルに供給される。
【０１０９】
そうすると、このようなサステイン電圧（Ｖｓ）によりプラズマディスプレイパネル上の電圧レベルは、図６のＳｔａｔｅ２のようにサステイン電圧（Ｖｓ）を維持し、これによって、プラズマディスプレイパネルにおいてサステイン放電がおきるようになる。
【０１１０】
ここで、上述した電圧維持回路部５０７のそれぞれの電圧維持回路５０３、５０４、５０５のインダクター部Ｌａ、Ｌｂ、Ｌｃには、電流が流れないので、インダクターに流れる電流は、理論上では０になる。
【０１１１】
このようなサステイン電圧（Ｖｓ）の維持期間の後に、エネルギー回収期間Ｓｔａｔｅ３において、エネルギー供給／回収回路部５０６のそれぞれのエネルギー供給／回収回路５００、５０１、５０２のエネルギー回収制御部Ｑ２ａ、Ｑ２ｂ、Ｑ２ｃがオンになる。
【０１１２】
そうすると、プラズマディスプレイパネルの無効電力は、電圧成分として、第２ノードｎ２、インダクター部Ｌａ、Ｌｂ、Ｌｃ、第１ノードｎ１、第２ダイオードＤ２ａ、Ｄ２ｂ、Ｄ２ｃ及びエネルギー回収制御部Ｑ２ａ、Ｑ２ｂ、Ｑ２ｃを経て、エネルギー格納部のエネルギー格納用キャパシタＣａ、Ｃｂ、Ｃcに格納される。
【０１１３】
そうすると、プラズマディスプレイパネルの電圧（Ｖｐ）は、図６のＳｔａｔｅ３と共にサステイン電圧（Ｖｓ）から基底電圧（ＧＮＤ）まで立下るようになり、インダクター部Ｌａ、Ｌｂ、Ｌｃに流れる電流は、プラズマディスプレイパネルからエネルギー格納用キャパシタＣａ、Ｃｂ、Ｃc）への方向にエネルギーが供給されているので、−ＩＬになる。
【０１１４】
以後、基底電圧維持期間Ｓｔａｔｅ４において、電圧維持回路部５０７のそれぞれの電圧維持回路５０３、５０４、５０５の基底電圧供給部Ｑ４ａ、Ｑ４ｂ、Ｑ４ｃがオンになる。そうすると、基底電圧源から供給される基底電圧（ＧＮＤ）が基底電圧供給部Ｑ４ａ、Ｑ４ｂ、Ｑ４ｃ及び第２ノードｎ２を経て、プラズマディスプレイパネルに供給される。
【０１１５】
そうすると、このような、基底電圧（ＧＮＤ）によりプラズマディスプレイパネル上の電圧（Ｖｐ）は、図６のＳｔａｔｅ４のように基底電圧（ＧＮＤ）を維持し、上述した電圧維持回路部５０７のそれぞれの電圧維持回路５０３、５０４、５０５のインダクター部Ｌａ、Ｌｂ、Ｌｃには、電流が流れないので、インダクターに流れる電流は、理論上では０になる。
【０１１６】
ここで、上述した符号５００のエネルギー供給／回収回路と、エネルギー供給／回収回路５０１と、エネルギー供給／回収回路５０２は、単一ボード上に形成されている。
【０１１７】
また、その出力端子が第１ノードｎ１として1つの共通出力を有するため、このようなエネルギー供給／回収回路５００、５０１、５０２のエネルギー供給制御部Ｑ１ａ、Ｑ１ｂ、Ｑ１ｃの駆動特性が互いに異なって駆動偏差が発生しても、1つの電気素子が受ける負荷の最大大きさは、上述したエネルギー格納用キャパシタＣａ、Ｃｂ、Ｃｃが供給する電圧の総合計に制限される。
【０１１８】
例えば、エネルギー供給／回収回路５００のエネルギー供給制御部Ｑ１ａの動作特性が時点ｔ０においてオンになり、エネルギー供給／回収回路５０１のエネルギー供給制御部Ｑ１ｂは、時点ｔ０に比べてΔｔだけ遅延された時点ｔ１においてオンになる動作特性を有し、エネルギー供給／回収回路５０２のエネルギー供給制御部Ｑ１ｃは、時点ｔ１に比べてΔｔだけ遅延された時点ｔ２においてオンになる動作特性を有すると仮定する。
【０１１９】
そうすると、駆動の際に、エネルギー供給／回収回路５００のエネルギー供給制御部Ｑ１ａが、他のエネルギー供給制御部Ｑ１ｂ、Ｑ１ｃに比べて、オンになる時点が早くなる。
【０１２０】
これによって、エネルギー格納用キャパシタＣａ、Ｃｂ、Ｃｃの全体負荷のみがほとんどエネルギー供給／回収回路５００のエネルギー供給制御部Ｑ１ａにかかるようになる。
【０１２１】
すなわち、1つの電気素子が受ける最大負荷の大きさは、従来に比べて減少する。
【０１２２】
さらに、このような複数のエネルギー供給／回収回路５００、５０１、５０２の電気素子が駆動偏差を有するとしても、このような複数のエネルギー供給／回収回路５００、５０１、５０２を備えて単一ボード上に形成されたエネルギー供給／回収回路部５０６が、1つの出力端子ｎ１に結果を出力するため、このようなエネルギー供給／回収回路部５０６の出力は、駆動偏差を有するとしても第１ノードｎ１に出力される結果は、略一定に維持される。
【０１２３】
これによって、このようなエネルギー供給／回収回路部５０６の出力端子ｎ１を介して信号を受ける電圧維持回路部５０７は、上述したエネルギー供給／回収回路部５０６の電気素子の駆動偏差とは大きく関係なく、安定した入力信号の供給を受ける。
【０１２４】
これによって、このようなエネルギー供給／回収回路部５０６のそれぞれのエネルギー供給／回収回路５００、５０１、５０２と共通に接続した電圧維持回路部５０７に備えられた電圧維持回路５０３、５０４、５０５の電気素子が駆動偏差を有する場合にも、従来に比べて駆動が安定になる。
【０１２５】
言い換えれば、上述した電圧維持回路５０３と、電圧維持回路５０４と、電圧維持回路５０５は、複数のボード上に形成されており、またその入力端子が第１ノードｎ１として1つの共通入力を有し、その出力端子が第２ノードｎ２として1つの共通出力を有するため、このようなエネルギー供給／回収回路５００、５０１、５０２の電気素子の駆動特性が互いに異なることにより駆動偏差が発生するとしても、1つの電気素子が受ける負荷の最大大きさは、従来に比べて減少して駆動が安定になる。
【０１２６】
例えば、図２の従来のプラズマディスプレイパネルの駆動装置では、駆動素子が所定の駆動偏差を有する場合、例えば、サステイン電圧（Ｖｓ）を供給するためのサステイン電圧源と接続されたスイッチＱ３、Ｑ３´、Ｑ３´´のうち、Ｑ３のオン時点が他のスイッチＱ３´、Ｑ３´´より早い場合には、サステイン回路部４００の総累積駆動偏差とサステイン回路部４０１の総累積駆動偏差とサステイン回路部４０２の総累積駆動偏差との和が、上述したＱ３スイッチに負荷として加えられて、このようなＱ３スイッチの発熱が過度に発生するか、又はＱ３スイッチが損傷された。
【０１２７】
しかし、本発明では、駆動素子が所定の駆動偏差を有する場合、例えば、複数のサステイン電圧供給部Ｑ３ａ、Ｑ３ｂ、Ｑ３ｃのうち、サステイン電圧供給部Ｑ３ａのオン時点が、他のサステイン電圧供給部Ｑ３ｂ、Ｑ３ｃより早い場合には、電圧維持回路５０３と電圧維持回路５０４と電圧維持回路５０５の駆動偏差の和のみが、サステイン電圧供給部Ｑ３ａに加えられる。
【０１２８】
すなわち、エネルギー供給／回収回路５００の出力と、エネルギー供給／回収回路５０１の出力と、エネルギー供給／回収回路５０２の出力が共通出力端子の第１ノードｎ１において加算されることによって、全体駆動装置の電気素子のうち、エネルギー供給／回収回路部５０６の電気素子により発生する駆動偏差が補償される。
【０１２９】
このようにエネルギー供給／回収回路部５０６の電気素子の駆動偏差が補償された信号が、電圧維持回路部５０７の入力信号に供給されることによって、電圧維持回路部５０７の電気素子が受ける最大負荷の大きさは、電圧維持回路部５０７自体の電気素子の駆動偏差の累積偏差に制限される。
【０１３０】
これにより、本発明の駆動装置では、複数の電気素子が受ける最大負荷の大きさが従来に比べて減少し、また電気素子に加えられる負荷が分散されることによって、電気素子の発熱偏重、電気素子の電気的又は熱的損傷の問題が改善される。
【０１３１】
図７は、本発明の第２実施形態に係るプラズマディスプレイ装置の構成を説明するための図である。
【０１３２】
同図に示すように、本発明の第２実施形態に係るプラズマディスプレイ装置の第２実施形態は、プラズマディスプレイパネル７００上の複数の領域のうち、互いに異なる領域にそれぞれ対応する複数のサステイン回路７０３、７０４を備える。
【０１３３】
例えば、図７のように、プラズマディスプレイパネル７００の第１領域Ｐａｎｅｌ−Ｔｏｐ７０１には、第１サステイン回路７０３が対応し、第２領域Ｐａｎｅｌ−Ｂｏｔｔｏｍ７０２には、第２サステイン回路７０４が対応する。
【０１３４】
すなわち、プラズマディスプレイパネル７００の第１領域７０１に備えられる放電セルには、第１サステイン回路７０３がサステイン電圧（Ｖｓ）を供給し、またエネルギー回収期間において無効エネルギーを回収する。
【０１３５】
また、プラズマディスプレイパネル７００の第２領域７０２に備えられる放電セルには、第２サステイン回路７０４がサステイン電圧（Ｖｓ）を供給し、またエネルギー回収期間において無効エネルギーを回収する。
【０１３６】
図７では、プラズマディスプレイパネルを２つの領域に分けた場合のみを示したが、これとは異なり、プラズマディスプレイパネルを３つ以上の領域に分けて駆動することも可能である。
【０１３７】
このように、図７のように、複数のサステイン回路７０３、７０４として、プラズマプラズマディスプレイパネル７００上の複数の領域のうち、互いに異なる領域をそれぞれ駆動させることによって、1つの電気素子が受ける最大負荷の大きさを減少させる。
【０１３８】
ここで、複数のサステイン回路７０３、７０４は、それぞれプラズマディスプレイパネル７００にエネルギーを供給し、無効エネルギーを回収するための第１、２エネルギー供給／回収回路７０３ａ、７０４ａと、プラズマディスプレイパネル７００の電位を所定電圧に維持するための第１、２電圧維持回路７０３ｂ、７０４ｂを備える。
【０１３９】
ここで、上述した複数のサステイン回路７０３、７０４のそれぞれの第１、２エネルギー供給／回収部７０３ａ、７０４ａの出力端子は、共通に接続することが好ましい。
【０１４０】
以上で説明した本発明の第２実施形態に係るプラズマディスプレイ装置は、上述した本発明の第１実施形態に係るプラズマディスプレイ装置と同様に、第１、２エネルギー供給／回収回路７０３ａ、７０４ａの駆動素子により発生する駆動偏差が、以後の第１、２電圧維持回路７０３ｂ、７０４ｂに影響を及ぼすのを防止することによって、1つの電気素子が受ける最大負荷の大きさを減少させる。
【０１４１】
これによって、発熱偏重、電気素子の電気的又は熱的損傷の問題を改善する。
【０１４２】
また、このような複数のサステイン回路７０３、７０４それぞれは、互いに異なるタイミングコントローラ７０５、７０６によりスイッチングタイミングが制御されることが好ましい。
【０１４３】
例えば、図７のように、プラズマディスプレイパネル７００の第１領域７０１を駆動させるための第１サステイン回路７０３は、第１タイミングコントローラ７０５によりスイッチングタイミングが制御され、プラズマディスプレイパネル７００の第２領域７０２を駆動させるための第２サステイン回路７０４は、第２タイミングコントローラ７０６によりスイッチングタイミングが制御される。
【０１４４】
ここで、上述したエネルギー供給／回収回路７０３ａ、７０４ａは、それぞれエネルギー格納用キャパシタＣａ、Ｃｂを備える第１、２エネルギー格納部と、エネルギー供給期間にオンになって上述したエネルギー格納部に格納されたエネルギーをプラズマディスプレイパネル７０１、７０２に供給させる第１、２エネルギー供給制御部Ｑ１ａ、Ｑ１ｂを備える。
【０１４５】
また、エネルギー回収期間にオンになってプラズマディスプレイパネル７０１、７０２の無効エネルギーをエネルギー格納部に格納させるための第１、２エネルギー回収制御部Ｑ２ａ、Ｑ２ｂ、第１ダイオードＤ１ａ、Ｄ１ｂ及び第２ダイオードＤ２ａ、Ｄ２ｂを備える。
【０１４６】
また、上述した第１、２電圧維持回路７０３ｂ、７０４ｂは、第１、２エネルギー供給／回収回路部の出力端子、すなわち第１ノードｎ１とプラズマディスプレイパネル７０１、７０２との間に接続される第１、２インダクター部Ｌａ、Ｌｂを備える。
【０１４７】
また、サステイン電圧（Ｖｓ）の維持期間の間にサステイン電圧源から供給されるサステイン電圧（Ｖｓ）をプラズマディスプレイパネル７０１、７０２に供給するための第１、２サステイン電圧供給部Ｑ３ａ、Ｑ３ｂ及び基底電圧（ＧＮＤ）の維持期間の間に基底電圧源から供給される基底電圧（ＧＮＤ）をプラズマディスプレイパネル７０１、７０２に供給するための第１、２基底電圧供給部Ｑ４ａ、Ｑ４ｂをそれぞれ備える。
【０１４８】
このような本発明の第２実施形態に係るプラズマディスプレイ装置の詳細な動作は、上述した本発明の第１実施形態と実質的に同じなので、重複する説明は省略する。
【０１４９】
本発明は、プラズマディスプレイパネルの駆動時に駆動偏差を低減して、素子の発熱偏重、素子の電気的又は熱的損傷の問題を改善するという効果がある。
【０１５０】
なお、本発明は、上記の実施形態に限定されるものではなく、本発明に係る技術的思想から逸脱しない範囲内で様々な変更が可能であり、それらも本発明の技術的範囲に属する。
【図面の簡単な説明】
【０１５１】
【図１】通常のプラズマディスプレイパネルの駆動装置を説明するための図である。
【図２】通常のプラズマディスプレイパネルの駆動装置における複数のエネルギー回収回路部が1つのモジュールに統合されることの一例を説明するための図である。
【図３】本発明の一実施形態に係るプラズマディスプレイ装置のうちプラズマディスプレイパネルの構造を示す図である。
【図４】本発明の一実施形態に係るプラズマディスプレイ装置の駆動方法を説明するための図である。
【図５】本発明の第１実施形態に係るプラズマディスプレイ装置の構成を説明するための図である。
【図６】図５に示された本発明の第１実施形態に係るプラズマディスプレイ装置の動作を説明するための図である。
【図７】本発明の第２実施形態に係るプラズマディスプレイ装置の構成を説明するための図である。
【図６】
2006350357.tif 000003
【図１】
2006350357.tif 000004
【図２】
2006350357.tif 000005
【図３】
2006350357.tif 000006
【図４】
2006350357.tif 000007
【図５】
2006350357.tif 000008
【図７】
2006350357.tif 000009